(57)【特許請求の範囲】
【請求項１】
製図用ブラシにおいて、ブラシの柄の中に折り畳み可能なちり取りを収納するための蓋付きの収納スペースを設け、同収納スペースに前記ちり取りを収納できるようにしたことを特徴とする製図用ブラシ。
【請求項２】
請求項１記載の製図用ブラシにおいて、前記ちり取りは、一端が軸ピンで連結された２本の骨部と、骨部間に連結され蛇腹状に開いたり閉じたりできるちり取り部とから構成されていることを特徴とする製図用ブラシ。
【発明の詳細な説明】
【技術分野】
【０００１】
本発明は、柄の部分の内部に、折り畳みできるちり取りを収納することによって、場所を取らずに簡単に出し入れすることができ、ちり取りを収納している状態で製図用ブラシを使用することのできる、ちり取り収納式製図用ブラシに関する。
【背景技術】
【０００２】
従来の製図用ブラシは専用のちり取りがなく、収納する時にかさばってしまう。この欠点を改善したものとして、従来、特開平10-113322号、特開平8-71027号、特表2005-514977号などに示すものがある。
【特許文献１】特開平10-113322号
【特許文献２】特開平8-71027号
【特許文献３】特表2005-514977号
【発明の開示】
【発明が解決しようとする課題】
【０００３】
上記した特開平10-113322号、特表2005-514977号に示すものは、収納、装着時に使用できない。そして特開平8-71027号に示すものは装着時にも場所を取り、何らかの衝撃によってちり取りが外れてしまうという欠点がある。
【０００４】
そこで、本発明は、ちり取りを収納している状態でも使用でき、ちり取りを使用しない際の収納時にかさばらず無駄なスペースを取ることのない、ちり取り収納式製図用ブラシを提供することを目的とする。
【課題を解決するための手段】
【０００５】
請求項１に係る発明は、製図用ブラシにおいて、ブラシの柄の中に折り畳み可能なちり取りを収納するための蓋付きの収納スペースを設け、同スペースに前記ちり取りを収納できるようにしたことを特徴とする。
【０００６】
請求項１に係る発明によると、柄の中に設けた収納スペースに、蓋を開けて、折り畳みできるちり取りを内蔵することができる。このことにより、製図用ブラシとちり取りが一体化し、ちり取りの収納時に無駄なスペースを取らない。また、ちり取りを柄の部分に収納した状態で製図用ブラシを使用することができる。
【０００７】
また、請求項２に係る発明は、請求項１記載のちり取り収納式製図用ブラシにおいて、前記ちり取りを、一端が軸ピンで連結された２本の骨部と、骨部間に連結され蛇腹状に開いたり閉じたりできるちり取り部とから構成したことを特徴とする。
【発明の効果】
【０００８】
以上の説明により、本発明によれば、柄の部分の内部に、折り畳みできるちり取りを収納することによって、場所を取らずに簡単に出し入れすることができ、柄の部分にちり取りを収納した状態で製図用ブラシを使用することができる。特に狭い場所で製図用ブラシを使用する場合に極めて便利である。また、ちり取りを使用する場合には、蓋を開けて柄の部分からすぐに取り出して、折り畳んだ状態のちり取りをすぐに開いて、使用することができ、便利である。
【発明を実施するための最良の形態】
【０００９】
以下、図面によって本発明の実施の形態について説明する。
【００１０】
本発明のちり取り収納式製図用ブラシは、図１に示すように、製図用ブラシ１と収納式ちり取り２によって構成されており、製図用ブラシ１の柄３には、後部３ａに設けられた収納用蓋４を開けてその開口部から柄３の内部にちり取り２を収納する大きさ・形状の収納スペース５が設けられている。すなわち、図１のちり取り収納式製図ブラシは、ワンタッチ着脱式の収納用蓋４と収納スペース５を備えているため、ちり取り２を保管する場所をとらずに済み、ちり取り２を簡単に柄３の中に後部３ａから出し入れできる形状としたことを特徴としている。
【００１１】
収納式ちり取り２は、一端が軸ピン６で互いに連結された２本の骨部７と、２本の骨部７間に連結され蛇腹状に開いたり閉じたりする構造のちり取り部８とから構成され、図２に示すように、ちり取り部８の蛇腹部８ａを折り畳むように閉じることで、図５に示すように製図用ブラシ１の収納用蓋４を開けて、収納スペース５内に全体を収納することができる。図３は、ちり取り２を収納スペース５内に収納した状態の製図用ブラシ１を示している。また、ちり取り２は、収納スペース５から取り出して、ちり取り部８の蛇腹部８ａを左右に開くことで、図４の使用例に示すようにして、製図用ブラシ１と一緒に製図板上のちりを取るのに用いることができる。なお、収納用蓋４は、柄３の後部３ａにヒンジ結合し、フックで開口部を閉じるようにしてもよい。
【００１２】
図２は、製図用ブラシ１の柄４の収納用蓋４を開けて、柄３の中に収納してあったちり取り２を取り出した状態の図である。ちり取り２は、折り畳み式であることが分かる。この折り畳んだ状態のちり取りは、柄３の中の収納スペース５に収まるようなコンパクトなサイズになっている。  
【００１３】
図１は、収納スペース５から取り出した、折り畳みできるちり取り２を軸ピン６回りに開いた状態の図である。ちり取り２のごみをすくって溜めるちり取り部８は、蛇腹状になっていて、使用時には開いて使用することができる。
【００１４】
図４は、両手を用いて実際にちり取り２と製図用ブラシ１を使用している状態の図である。製図時に発生した消しゴムかすなどのごみをちり取り２のちり取り部８に集めてすぐにごみを捨てることができる。使用後には、ちり取り２を製図用ブラシ１の柄３の収納スペース５内に収納し保管することができる。ちり取り２を製図用ブラシ１と別途に保管する必要がなく、また、ちり取り２の所在が分からなくなることも防止できる。
【図面の簡単な説明】
【００１５】
【図１】本発明に係る製図用ブラシと開いた状態の収納式ちり取りを示す図である。
【図２】本発明に係る製図用ブラシと閉じた状態の収納式ちり取りを示す図である。
【図３】図２に示す製図用ブラシに収納式ちり取りを収納した状態を示す図である。
【図４】図１に示す製図用ブラシと収納式ちり取りの使用例を表した図である。
【図５】本発明の製図用ブラシの柄に収納式ちり取りを収納している状態を示す図である。
【符号の説明】
【００１６】
１  製図用ブラシ
２  収納式ちり取り
３  柄
３ａ  後部
４  収納用蓋
５  収納スペース
６  軸ピン
７  骨部
８  ちり取り部
８ａ  蛇腹部
【要約】
【課題】
従来の技術では、製図用ブラシには専用のちり取りがなく、使用しない時の収納時にかさばり、大きく持ち運びが困難であり、狭い場所などで使用することが難しかった。
【解決手段】
製図用ブラシ１と蛇腹状に折り畳み可能な収納式ちり取り２を備え、製図用ブラシ１の収納用蓋４を開き、折り畳み状態のちり取り２を、製図用ブラシ１の柄３に設けた収納スペース５内に収納することができる。そして、折り畳み状態のちり取り２を取り出して開く事によってすぐに使用できる。これにより、無駄な場所をとらずにちり取り２を収納でき、収納時も製図用ブラシ１を支障なく使用できて、構造も単純なので非常に便利なものである。
【選択図】図１【図１】
0004185160.tif 000002
【図２】
0004185160.tif 000003
【図３】
0004185160.tif 000004
【図４】
0004185160.tif 000005
【図５】
0004185160.tif 000006